(57)【要約】【課題】  タッチパネル入力面となるディスプレイに、リモコン操作用の表示パターンを選択的に表示可能とし、各種外部機器のリモコンとして利用可能な携帯電話端末を得る。【解決手段】  携帯電話端末１は、タッチパネル式のディスプレイ２を備え、該ディスプレイに電話機能を含む各種機能用の操作アイコン４をもつ複数の機能別表示パターン３Ａ，３Ｂ，３Ｃ，・・を選択的に表示するように構成されている。そして、他の各種機器５ａ，５ｂ，・・をリモコン操作するためのリモコン操作機能用の表示パターン６を、前記ディスプレイ上に表示可能に構成する。さらに、該リモコン操作機能用表示パターンを選択的に切替え可能に構成する切替手段としてメイン操作用の表示パターン８を設ける。【選択図】図２
2011193426.tif 000002
【特許請求の範囲】
【請求項１】
タッチパネル式のディスプレイを備え、該ディスプレイに電話機能を含む各種機能用の操作アイコンをもつ複数の機能別表示パターンを選択的に表示するように構成されている携帯電話端末において、
他の各種の外部機器をリモコン操作するためのリモコン操作機能用の表示パターンを、前記ディスプレイ上に表示可能に構成するとともに、
該リモコン操作機能用表示パターンを選択的に切替え可能に構成する切替手段を設けたことを特徴とするリモコン機能付き携帯電話端末。
【請求項２】
請求項１記載のリモコン機能付き携帯電話端末において、
機能別表示パターンには、各種機能用表示パターンを選択して切替操作するためのメイン操作用の表示パターンを有し、
このメイン操作用表示パターンが前記切替手段となることを特徴とするリモコン機能付き携帯電話端末。
【請求項３】
請求項１または請求項２記載のリモコン機能付き携帯電話端末において、
機能別表示パターンには、電話、ＰＤＡ、音楽プレーヤ、カメラ、ビデオプレーヤ、ゲームプレーヤ、インターネット端末、ＧＰＳ受像機などとしての表示パターンがあることを特徴とするリモコン機能付き携帯電話端末。
【請求項４】
請求項１ないし請求項３のいずれか１項に記載のリモコン機能付き携帯電話端末において、
リモコン操作される各種の外部機器としては、たとえばテレビジョン、エアコン、オーディオ機器、パソコン、照明器具、その他の電気製品があることを特徴とするリモコン機能付き携帯電話端末。
【発明の詳細な説明】
【技術分野】
【０００１】  本発明は、携帯電話端末に関し、特にテレビジョン、エアコン、オーディオ機器、あるいはパソコン（パーソナルコンピュータ）等といった各種の外部機器をリモートコントロールすることができるリモコン機能をもつリモコン機能付き携帯電話端末に関する。
【背景技術】
【０００２】  携帯機器の表面にマルチタッチ入力面をもち携帯電話等として用いられるハンドヘルド電子機器が従来既に提案されている（例えば、特許文献１参照）。
【先行技術文献】
【特許文献】
【０００３】
【特許文献１】  特表２００８−５３７６１５号公報
【発明の概要】
【発明が解決しようとする課題】
【０００４】  ところで、一般家庭内などにおいて、テレビジョン、オーディオ、パソコン、あるいはエアコン、照明機器等の外部機器には、これらをリモコン操作するためのリモコンがそれぞれに準備され、必要に応じて使用されている。
しかし、このような従来技術では、リモコンの種類が多くなりすぎ、またそれぞれの操作も異なるため、操作が煩雑となり、操作性の面で問題であった。【０００５】  このため、携帯電話などの携帯端末を、上記のリモコン等としても使用できるようにすることが考えられているが、各機器において必要とされる操作ボタンなどが異なり、全く異なる操作を行うものもあることから、共用化が困難かつ煩雑で、コスト高を招くといった問題もあった。【０００６】  本発明はこのような事情に鑑みてなされたものであり、簡単な切替操作によって簡単に操作表示面を切り換えて表示することが可能であり、各種機器などのリモコン操作用として選択的に使用することが可能となり、操作性の面でも優れてなるリモコン機能付き携帯電話端末を得ることを目的とする。
【課題を解決するための手段】
【０００７】  このような目的に応えるために本発明（請求項１記載の発明）に係るリモコン機能付き携帯電話端末は、タッチパネル式のディスプレイを備え、該ディスプレイに電話機能を含む各種機能用の操作アイコンをもつ複数の機能別表示パターンを選択的に表示するように構成されている携帯電話端末において、他の各種の外部機器をリモコン操作するためのリモコン操作機能用の表示パターンを、前記ディスプレイ上に表示可能に構成するとともに、該リモコン操作機能用表示パターンを選択的に切替え可能に構成する切替手段を設けたことを特徴とする。【０００８】  本発明（請求項２記載の発明）に係るリモコン機能付き携帯電話端末は、請求項１記載のリモコン機能付き携帯電話端末において、機能別表示パターンには、各種機能用表示パターンを選択して切替操作するためのメイン操作用の表示パターンを有し、このメイン操作用表示パターンが前記切替手段となることを特徴とする。【０００９】  本発明（請求項３記載の発明）に係るリモコン機能付き携帯電話端末は、請求項１または請求項２記載のリモコン機能付き携帯電話端末において、機能別表示パターンには、電話、ＰＤＡ、音楽プレーヤ、カメラ、ビデオプレーヤ、ゲームプレーヤ、インターネット端末、ＧＰＳ受像機などとしての表示パターンがあることを特徴とする。【００１０】  本発明（請求項４記載の発明）に係るリモコン機能付き携帯電話端末は、請求項１ないし請求項３のいずれか１項に記載のリモコン機能付き携帯電話端末において、リモコン操作される各種の外部機器としては、たとえばテレビジョン、エアコン、オーディオ機器、パソコン、照明器具、その他の電気製品があることを特徴とする。
【発明の効果】
【００１１】  以上説明したように本発明に係るリモコン機能付き携帯電話端末によれば、ディスプレイに各種機器をリモコン操作するためのリモコン操作用表示パターンを表示し、該表示パターンの操作アイコンを適宜操作することにより、各種機器をリモコン操作することができる。したがって、本発明による携帯電話端末によれば、通常の電話機能以外に、各種の外部機器をそれぞれ所要の状態でリモコン操作することができるのである。
【図面の簡単な説明】
【００１２】
【図１】  本発明に係るリモコン機能付き携帯電話端末の一実施形態を示し、（ａ），（ｂ）は携帯電話端末の概要を説明するための概略図である。
【図２】  本発明に係るリモコン機能付き携帯電話端末の一実施形態を示す概略構成図である。
【図３】  本発明に係るリモコン機能付き携帯電話端末の一実施形態を示し、概要の動作を説明するためのフローチャートである。
【発明を実施するための形態】
【００１３】  図１および図２は本発明に係るリモコン機能付き携帯電話端末の一実施形態を示す。
これらの図において、符号１で示す携帯電話端末は、タッチパネル式のディスプレイ２を備え、このディスプレイ２上に、図１（ａ）に示すように、電話としての機能を行わせるための電話機能用の表示パターン３Ａを表示するように構成されている。
【００１４】  さらに、この携帯電話端末１では、機能別表示パターン３Ｂ，３Ｃ，・・としては、電話機能以外にも、ＰＤＡ、音楽プレーヤ、カメラ、ビデオプレーヤ、ゲームプレーヤ、インターネット端末、パソコン、ＧＰＳ受像機などとしてのパターンもあり、適宜組み込み準備され、それぞれの表示パターン３Ａ，３Ｂ，・・における操作アイコン４を適宜操作されることにより、それぞれの機能で該端末１を動作させることができるものである。
【００１５】  勿論、この携帯電話端末１には、上述した各表示パターン３Ａ，３Ｂ，・・の操作アイコン４の操作に基づいて操作される適宜の制御部や受信部、送信部、スピーカ、マイクロフォン、メモリ、その他必要とされるものが適宜装備され、組み込まれていることは言うまでもない。
【００１６】  本発明によれば、携帯電話端末１は、上述した電話機能用等の表示パターン３Ａ，３Ｂ，・・以外に、テレビジョン、オーディオ機器、パソコン等を始めとする他の各種の外部機器５ａ，５ｂ，・・をリモコン操作するためのリモコン操作用表示パターン６を表示するとともに、該表示パターン６の操作アイコン７を操作することにより、該外部機器５ａ等に赤外線、超音波等による信号を送り、該外部機器５ａ等を適宜リモコン操作することができるように構成されている。
【００１７】  さらに、本発明によれば、上述した機能別表示パターンとして、該リモコン操作機能用表示パターン６を選択的に切替え可能に構成する切替手段としてメイン操作用の表示パターン８を設け、これに表示されている任意の操作アイコン９を操作することで、該アイコン９に対応する機能別表示パターン３Ａ，３Ｂ，・・，６のうちの所要のものが選択表示されるようになっている。
【００１８】  そして、このような構成によれば、タッチパネル入力面となるディスプレイ１に、リモコン操作用の表示パターン６を選択的に表示することで、各種外部機器５ａ，５ｂ，・・のリモコンとして利用することができるものである。
【００１９】  なお、この携帯電話端末１は、図１から明らかなように、本体の上端部に電話機能用のアンテナ１１を有し、またリモコン操作用として赤外線発光部１２等も設けられている。
【００２０】  図２は本発明による携帯電話端末１の概略構成を示すものであり、同図中、符号２１は該端末１において種々の機能の動作を制御するためのＣＰＵ、２２はこの端末１のディスプレイ２に対して所要の機能別表示パターン３Ａ，３Ｂ，・・；６；８等や、それぞれの表示パターンによるアイコン操作に基づきそれぞれの機能動作をソフト的に行わせるためのアプリケーションソフト等を組み込んでなる記憶手段であるメモリ、２３は該メモリ２２から所要の表示パターン３Ａ，３Ｂ，・・；６；８をディスプレイ２に表示させるための表示制御手段である。
【００２１】  ディスプレイ２は、タッチパネル式として構成され、各表示パターン３Ａ，３Ｂ，・・；６；８におけるそれぞれの操作アイコン４，７，９等を適宜操作することにより、ＣＰＵ２１により適宜の動作を行わせるようになっている。
【００２２】  図３によりこの種の携帯電話端末１の動作を簡単に説明すると、Ｓ１において切替手段としてのメイン表示パターン８の任意の操作アイコン９が操作されると、Ｓ２に進み、電話機能表示であるか否かを判断し、Ｓ３で電話機能表示パターン３Ａがディスプレイ２に表示される。
【００２３】  Ｓ２で電話機能表示でないと判断されると、Ｓ４に進み、リモコン機能表示であるかが判断され、Ｓ５でリモコン機能表示パターン６が表示される。
また、Ｓ４でそうでないと判断されると、Ｓ６に進み、その他の機能表示であるかが判断され、そうであればＳ７で当該表示パターン３Ｂ，３Ｃ，・・の表示が行われる。
【００２４】  そして、それぞれの表示パターンにおいて、Ｓ８，Ｓ９，Ｓ１０でアイコン操作が行われたことを検知すると、Ｓ１１で当該アイコン操作に基づく動作が行われ、それぞれの機能動作が適宜行われることになる。
【００２５】  なお、本発明は上述した実施の形態で説明した構造には限定されず、携帯電話端末１を構成する各部の形状、構造等を適宜変形、変更し得ることはいうまでもない。
たとえば上述した実施形態では、リモコン操作用として赤外線発光部１２を用いた例を説明したが、本発明はこれに限定されず、非接触で各種の外部機器を遠隔操作することができるものであればよく、たとえば赤外線以外にも、超音波、無線、光、音を始め、近距離通信技術を利用した種々の遠隔操作手段であればよいことは言うまでもない。
【００２６】  また、上述した実施形態では、携帯電話端末１を、電話、音楽プレーヤ、カメラ、ビデオプレーヤ等としての機能別表示パターンを表示する場合を説明したが、これに限定されず、適宜の機能を行わせることができるように構成してもよい。
【００２７】  さらに、上述した実施形態では、リモコン操作される各種の外部機器として、テレビジョンやオーディオ機器等を例示したが、本発明はこれに限らず、リモコン操作される各種の外部機器であればよいものであり、たとえばテレビジョン、エアコン、オーディオ機器、パソコン、照明器具、その他の各種の家電製品などといった電気製品であればよいことは言うまでもない。
【符号の説明】
【００２８】  １  携帯電話端末
２  タッチパネル式ディスプレイ
３Ａ，３Ｂ，・・  機能別表示パターン
４  操作アイコン
５ａ，５ｂ，・・  リモコン操作用の外部機器
６  リモコン操作用表示パターン
７  操作アイコン
８  メイン操作用表示パターン（切替手段）
９  操作アイコン
１１  アンテナ
１２  赤外線発光部
２１  ＣＰＵ
２２  メモリ
２３  表示制御手段
【図１】
2011193426.tif 000003
【図２】
2011193426.tif 000004
【図３】
2011193426.tif 000005